【事件の表示】
　特願２００１−　７８０２４「画像記録方法および装置並びに記録媒体」拒絶査定不服審判事件〔平成１４年　１月１１日出願公開、特開２００２−　　８３５０〕について、次のとおり審決する。
【結　論】
　本件審判の請求は、成り立たない。
【理　由】
第１　手続の経緯
　
　本願は、平成１３年３月１９日（優先権主張平成１２年４月１９日）に出願したものであって、平成２０年９月２６日付けの拒絶理由通知に対する応答期間内の同年１２月１日付けで手続補正がなされたが、平成２１年８月２１日付けで拒絶査定がなされ、これに対し、同年１１月１９日付けで拒絶査定不服審判が請求されるとともに同日付で手続補正がなされた。
　その後、平成２２年１２月２１日付けで前置報告書に基づき審尋がなされ、平成２３年２月９日付けで回答書が提出されたものである。
　
第２　平成２１年１１月１９日付けの手続補正についての補正却下の決定
　
［補正却下の決定の結論］
　平成２１年１１月１９日付けの手続補正を却下する。
　
［理由］
１．本件補正
　平成２１年１１月１９日付け手続補正（以下「本件補正」という。）は、明細書の特許請求の範囲について、補正前に、
　
「【請求項１】　複数の画像データの全部または一部を記録媒体に記録する画像記録方法において、
　前記複数の画像データに付与された所定の情報に基づいて、該複数の画像データのそれぞれにより表される複数の画像を代表する代表画像を選択し、
　該選択された代表画像のサムネイル画像を前記記録媒体の盤面に付与することを特徴とする画像記録方法。
　【請求項２】　前記複数の画像データの類似度にも基づいて、前記代表画像を選択することを特徴とする請求項１記載の画像記録方法。
　【請求項３】　複数の画像データの全部または一部を記録媒体に記録する画像記録方法において、
　前記複数の画像データの類似度に基づいて、該複数の画像データのそれぞれにより表される複数の画像を代表する代表画像を選択し、
　該選択された代表画像のサムネイル画像を前記記録媒体の盤面に付与することを特徴とする画像記録方法。
　【請求項４】　複数の画像データの全部または一部を記録媒体に記録する画像記録装置において、
　前記複数の画像データに付与された所定の情報に基づいて、該複数の画像データのそれぞれにより表される複数の画像を代表する代表画像を選択する選択手段と、
　該選択された代表画像のサムネイル画像を前記記録媒体の盤面に付与する代表画像付与手段とを備えたことを特徴とする画像記録装置。
　【請求項５】　前記選択手段は、前記複数の画像データの類似度にも基づいて、前記代表画像を選択する手段であることを特徴とする請求項４記載の画像記録装置。
　【請求項６】　複数の画像データの全部または一部を記録媒体に記録する画像記録装置において、
　前記複数の画像データの類似度に基づいて、該複数の画像データのそれぞれにより表される複数の画像を代表する代表画像を選択する選択手段と、
　該選択された代表画像のサムネイル画像を前記記録媒体の盤面に付与する代表画像付与手段とを備えたことを特徴とする画像記録装置。
　【請求項７】　複数の画像データの全部または一部を記録媒体に記録する画像記録方法をコンピュータに実行させるためのプログラムを記録したコンピュータ読取り可能な記録媒体において、
　前記プログラムは、前記複数の画像データに付与された所定の情報に基づいて、該複数の画像データのそれぞれにより表される複数の画像を代表する代表画像を選択する手順と、
　該選択された代表画像のサムネイル画像を前記記録媒体の盤面に付与する手順とを有することを特徴とするコンピュータ読取り可能な記録媒体。
　【請求項８】　前記代表画像を選択する手順は、前記複数の画像データの類似度にも基づいて、前記代表画像を選択する手順であることを特徴とする請求項７記載のコンピュータ読取り可能な記録媒体。
　【請求項９】　複数の画像データの全部または一部を記録媒体に記録する画像記録方法をコンピュータに実行させるためのプログラムを記録したコンピュータ読取り可能な記録媒体において、
　前記プログラムは、前記複数の画像データの類似度に基づいて、該複数の画像データのそれぞれにより表される複数の画像を代表する代表画像を選択する手順と、
　該選択された代表画像のサムネイル画像を前記記録媒体の盤面に付与する手順とを有することを特徴とするコンピュータ読取り可能な記録媒体。
　【請求項１０】　複数の画像データの全部または一部を記録した記録媒体において、
　前記複数の画像データに付与された所定の情報に基づいて、該複数の画像データのそれぞれにより表される複数の画像から選択された、該複数の画像データにより表される画像の代表画像のインデックス画像が盤面に付与されてなることを特徴とする記録媒体。
　【請求項１１】　複数の画像データの全部または一部を記録した記録媒体において、
　前記複数の類似度に基づいて、該複数の画像データのそれぞれにより表される複数の画像から選択された、該複数の画像データにより表される画像の代表画像のインデックス画像が盤面に付与されてなることを特徴とする記録媒体。」
とあったところを、
　　
　本件補正後、
「【請求項１】　複数の画像データの全部または一部を記録媒体に記録する画像記録方法において、
　前記複数の画像データ
のタグ情報またはヘッダ情報に持たせた
　該選択された代表画像のサムネイル画像を前記記録媒体の盤面に付与することを特徴とする画像記録方法。
　【請求項２】　前記複数の画像データの
特徴量に基づいて算出された
　【請求項３】　複数の画像データの全部または一部を記録媒体に記録する画像記録方法において、
　前記複数の画像データの
特徴量に基づいて算出された
　該選択された代表画像のサムネイル画像を前記記録媒体の盤面に付与することを特徴とする画像記録方法。
　【請求項４】　複数の画像データの全部または一部を記録媒体に記録する画像記録装置において、
　前記複数の画像データ
のタグ情報またはヘッダ情報に持たせた
　該選択された代表画像のサムネイル画像を前記記録媒体の盤面に付与する代表画像付与手段とを備えたことを特徴とする画像記録装置。
　【請求項５】　前記選択手段は、前記複数の画像データの
特徴量に基づいて算出された
　【請求項６】　複数の画像データの全部または一部を記録媒体に記録する画像記録装置において、
　前記複数の画像データの
特徴量に基づいて算出された
　該選択された代表画像のサムネイル画像を前記記録媒体の盤面に付与する代表画像付与手段とを備えたことを特徴とする画像記録装置。
　【請求項７】　複数の画像データの全部または一部を記録媒体に記録する画像記録方法をコンピュータに実行させるためのプログラムを記録したコンピュータ読取り可能な記録媒体において、
　前記プログラムは、前記複数の画像データ
のタグ情報またはヘッダ情報に持たせた
　該選択された代表画像のサムネイル画像を前記記録媒体の盤面に付与する手順とを有することを特徴とするコンピュータ読取り可能な記録媒体。
　【請求項８】　前記代表画像を選択する手順は、前記複数の画像データの
特徴量に基づいて算出された
　【請求項９】　複数の画像データの全部または一部を記録媒体に記録する画像記録方法をコンピュータに実行させるためのプログラムを記録したコンピュータ読取り可能な記録媒体において、
　前記プログラムは、前記複数の画像データの
特徴量に基づいて算出された
　該選択された代表画像のサムネイル画像を前記記録媒体の盤面に付与する手順とを有することを特徴とするコンピュータ読取り可能な記録媒体。
　【請求項１０】　複数の画像データの全部または一部を記録した記録媒体において、
　前記複数の画像データ
のタグ情報またはヘッダ情報に持たせた
　【請求項１１】　複数の画像データの全部または一部を記録した記録媒体において、
　前記複数の
画像データの特徴量に基づいて算出された
　とするものである。
　
　本件補正の具体的な内容は、概略、本件補正前の請求項１，４，７および１０において、発明特定事項である「所定の情報」について「タグ情報またはヘッダ情報に持たせた」と限定し、また、本件補正前の請求項２，３，５，６，８，９および１１において、発明特定事項である「類似度」について、「特徴量に基づいて算出された」と限定するものであるから、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項１０に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項に規定する要件を満たすか）否かについて、以下検討する。
　
２．引用例
　
　原査定の拒絶の理由に引用された本願の優先権主張の日前に頒布された刊行物である特開平６−２８４３７０号公報（平成６年１０月７日公開、以下「引用例」という。）には、図面と共に、以下の記載がある。（なお、下線は、当審で付与した。）
　
（１）「【請求項２】
画像記録ディスクに収録された画像データに基づいて出力表示された画像記録内容を表示するための表題画像が、当該画像記録ディスク上に施されていることを特徴とする表題画像付き画像記録ディスク
　
（２）「【０００４】このＰＣＤは、写真撮影され現像されたカラーフィルム等のフィルム画像を、スキャナ画像読取手段にて読み取り、読み取った画像データを、コンパクトディスク（ＣＤ）に電子画像データとして収録したものである。従来、上記ＰＣＤの収録の際には、収録と同時に縮小画像による収録内容の一覧（リスト）をインデックスプリント（一覧表ハードコピー）として出力し、ＰＣＤに収録されている画像内容を確認できるようになっており、また、該インデックスプリントはＰＣＤと一緒に適宜収納ケース内に納められるようになっている。」
　
（３）「【００１８】なお、１枚の画像記録ディスクから読み出す
表題画像データは、その画像記録ディスクに収録されている画像データの中から、例えば、全部、若しくはその一部を、適宜選択することができ、その選択指令は、その画像データの画像番号（コード番号）等を前記読出手段１に入力指示することによって可能である
　
（４）「【００２５】第１の発明の上記一実施例における処理フローチャートとしては、表題画像データ読出手段１が、ｎ個分の表題画像データ（１枚の画像記録ディスクに収録された
複数Ｎ個の画像データのうち該画像記録ディスク上に表題画像として表示されるｎ個分の画像データ、Ｎ≧ｎ個）を読み出す
【００２６】表題画像読出手段１の読出ヘッド６と、ドライブ機構７とによって、画像記録ディスクから、ｎ個分の画像データ（表題となるｎ個分の画像データ）と、それに付帯する付属情報データが読み出されてＲＡＭ８に記憶される。
【００２７】ＲＡＭ８にｎ個分の表題画像データが記憶されると、ｎ個分の表題画像を画像記録ディスク本体上に出力表示する指令信号がＣＰＵ４から出力され、ＲＡＭ８の付属情報（画像番号、画像記録位置等）に基づいて、ドライブ機構７が表題画像出力手段３の表題画像出力機構９の出力ヘッドと、表題画像を出力表示するための画像記録媒体とを適当な位置に移動させて、続いてＲＡＭ８から記憶されているｎ個の表題画像データのうちの１個の表題画像データが読み出され、読み出された
表題画像データは表題画像出力機構９（感熱転写プリンター、感圧転写プリンター、インキジェットプリンター、レーザープリンター等）によって、画像記録ディスク上の適宜位置に１個の表題画像として出力表示され、出力表示すべきｎ個の表題画像データが無くなるまでこの出力処理を繰り返すことによって、ｎ個の出力表示すべき表題画像が画像記録ディスク上に表示される
　
（５）「【００４０】次に、本発明における第２の発明の表題付き画像記録ディスクを、実施例に従って詳細に説明する。図４（ａ）は、第１の発明の画像記録ディスクの表題出力装置によって画像記録ディスクＡ上に出力表示された表題付き画像記録ディスクＡの表面図であり、上記第１の発明の一実施例において、ＰＣＤを用いた画像記録ディスクＡ表面上に、図２の表題画像出力機構９によって出力表示されたその画像記録ディスクＡの収録画像データに基づいて出力表示された表題画像Ｐの各画像Ｐ１，Ｐ２，…Ｐｎの配置を示し、この一実施例においては、先に図３（ａ）に示した表示領域内に、画像記録ディスクＡ（ＰＣＤ）に収録された全ての画像データ（Ｎ個の画像データ）に基づく全画像（Ｎ個の画像データ）を表題画像として出力表示したものである。
【００４１】図４（ｂ）は、上記第１の発明の装置によって画像出力表示された表題画像Ｐの１個の表題画像ＰＫを示し、その出力表示（プリント表示）された１画像サイズは、例えば、縦１０ｍｍ×横（幅）６．６７ｍｍである。」
　
（６）「【００４３】なお、本発明においては、画像記録ディスク（ＰＣＤ−ＲＯＭディスクＡ）に収録された全ての画像データ（Ｎ個の画像データ）のうち、いくつかの画像データ（ｎ個の画像データ）を選択して、ｎ個の表題画像を当該画像記録ディスク上の適宜表示領域に出力表示することは可能である。」
　
　上記摘示事項及び図面の記載を総合勘案すると、引用例には、次の発明（以下「引用発明」という。）が記載されているものと認める。
　
「複数の画像データの全部を記録した画像記録ディスクにおいて、
　前記複数の画像データの画像番号（コード番号）に基づいて、画像データの中から、選択された画像記録内容を表示するための表題画像が、当該画像記録ディスク上に施される画像記録ディスク。」
　
３．対比
　
　そこで、本願補正発明と引用発明とを対比する。
　
（１）引用発明の「画像データ」「画像記録ディスク」は、本願補正発明の「画像データ」「記録媒体」に相当する。
（２）引用発明の「画像番号（コード番号）」は、本願補正発明の「所定の情報」に相当する。
（３）引用発明の「表題画像」は、「画像データの中から、選択された画像記録内容を表示するための」ものであるから、本願補正発明の「該複数の画像データのそれぞれにより表される複数の画像から選択された、該複数の画像データにより表される画像の」「代表画像のインデックス画像」に相当する。
（４）引用発明の「表題画像」は、画像記録ディスク上に施されるのであるから、ディスクの盤面に付与されていることは明らかである。
　　
　そうすると、本願補正発明と引用発明とは、次の点で一致する。
　
＜一致点＞
「複数の画像データの全部を記録した記録媒体において、
　前記複数の画像データの所定の情報に基づいて、該複数の画像データのそれぞれにより表される複数の画像から選択された、該複数の画像データにより表される画像の代表画像のインデックス画像が盤面に付与されている記録媒体。」の点。
　
　そして、次の点で相違する。　
＜相違点＞
「所定の情報」について、本願補正発明は、「タグ情報またはヘッダ情報に持たせた」ものであるのに対し、引用発明は、そのような特段の限定がない点。
　
４．判断
　
　そこで、上記相違点について検討する。
　引用例には、画像データに付随する付属情報データとして画像番号が記載されている（段落【００２６】【００２７】）。そして、付属情報データは画像データに付随する情報であるところ、記録ディスクの技術分野において、該付属情報データを主情報データのタグ情報ないしヘッダ情報に持たせることは常套手段である。
　そうすると、引用発明において、画像番号（所定の情報）をタグ情報またはヘッダ情報に持たせたとすることは、引用例の上記記載事項から当業者が適宜容易に想到できた程度のものである。
　　
　そして、上記相違点を総合的に判断しても、本願補正発明が奏する効果は引用例から当業者が十分に予測できたものであって格別なものとはいえない。
　したがって、本願補正発明は、引用例に記載された発明に基づいて当業者が容易に発明をすることができたものであるから、特許法第２９条第２項の規定により特許出願の際独立して特許を受けることができない。
　
５．本件補正についてのむすび
　
　以上のとおり、本件補正は、平成１８年法律第５５号改正附則第３条第１項によりなお従前の例によるとされる同法による改正前の特許法第１７条の２第５項で準用する同法第１２６条第５項の規定に違反するので、同法第１５９条第１項の規定において読み替えて準用する同法第５３条第１項の規定により却下すべきものである。
　
第３　本願発明について
　
１．本願発明
　
　平成２１年１１月１９日付けの手続補正は上記のとおり却下されたので、本願の請求項１ないし１１に係る発明は、平成２０年１２月１日付け手続補正で補正された明細書の特許請求の範囲の請求項１ないし１１に記載された事項により特定されたものであるところ、請求項１０に係る発明（以下「本願発明」という。）は、前記「第２［理由］１．」の補正前の「請求項１０」として記載したとおりのものである。
　
２．引用例及びその記載
　
　原査定の拒絶の理由で引用された引用例及びその記載事項は、上記「第２［理由］２．」に記載したとおりである。
　
３．対比・判断
　
　本願発明は、上記「第２［理由］１．」で検討した本願補正発明の「画像データのタグ情報またはヘッダ情報に持たせた所定の情報に基づいて」を「画像データに付与された所定の情報に基づいて」としたものである。
　そうすると、本願発明の構成要件をすべて含み、更に他の構成要件を付加したものに相当する本願補正発明が、上記「第２［理由］３．４．」に記載したとおり、引用例に記載された発明に基づいて、当業者が容易に発明をすることができたものであるから、本願発明も、同様の理由により、引用例に記載された発明に基づいて、当業者が容易に発明をすることができたものである。
　
４．むすび
　
　以上のとおり、本願の請求項１０に係る発明は、特許法第２９条第２項の規定により特許を受けることができない。
　したがって、本願は、その余の請求項について論及するまでもなく拒絶すべきものである。
　よって、結論のとおり審決する。